(57)【要約】【課題】閉鎖形盤キャビネットのパネル壁面を透過して盤前方の電気室内に伝播する騒音レベルを効果的に低減できるように防音構造を改良した電気機器収納盤を提供する。【解決手段】電気機器を収納した閉鎖形盤キャビネット１の天井板に設けた排気口１ｃに冷却ファン２を配備し、該冷却ファン２により盤内に冷却空気を通風して電気機器を風冷冷却するようにした電気機器収納盤において、盤キャビネット１の上部には冷却ファン２を取り囲んで内面に吸音材３ａを貼り付けた消音器３、および該消音器３を通過した排気空気流を水平方向へ偏向させるよう内面に吸音材４ａを貼り付けた風向ガイド４を設け、さらに閉鎖形盤キャビネットの正面扉１ａの裏面には吸音材７を被着し、正面扉１ａを透過して盤前方に伝播する透過騒音レベルを減衰させる。【選択図】図１
2011066988.tif 000002
【特許請求の範囲】
【請求項１】
電気機器を収納した閉鎖形盤キャビネットの天井板に排気口を開口して冷却ファンを配備し、該冷却ファンにより盤内に冷却空気を通風して電気機器の冷却を行なうようにした風冷式の電気機器収納盤において、
前記閉鎖形盤キャビネットの上部に冷却ファンを取り囲んで内面に吸音材を貼り付けた消音器、および該消音器を通過した排気空気流を水平方向へ偏向させるよう内面に吸音材を貼り付けた風向ガイドを設けるとともに、さらに盤キャビネットの正面扉の裏面に吸音材を被着したことを特徴とする電機機器収納盤。
【請求項２】
請求項１に記載の電気機器収納盤において、正面扉の裏面に被着した吸音材を、騒音規制法の関連法令で定めた受音点に対応する床面からの高さに位置を合わせてその周域範囲に被着したことを特徴とする電気機器収納盤。
【発明の詳細な説明】
【技術分野】
【０００１】
この発明は、電気室内に据付けた電力用インバータ盤などの閉鎖形配電盤を対象に、電気機器を収納した盤の天井部に排気口を設けてここに冷却ファンを設置し、この冷却ファンにより盤内に冷却空気を通風して電気機器を風冷冷却するようにした電気機器収納盤に関し、詳しくはその騒音対策のための防音構造に係わる。
【背景技術】
【０００２】
頭記のインバータ盤は、周面を金属板で覆った閉鎖形の盤内に上下段に並べて収容したインバータユニットに多数のパワー半導体素子を装備しており、このパワー半導体素子の通電に伴う発生熱を除熱するために、盤の下部に吸気口，天井側には排気口を設けた上で、この排気口に冷却ファンを取り付け、この冷却ファンにより盤内に設置したインバータユニットに盤の周囲から取り込んだ冷却空気を通風して前記パワー半導体素子を風冷冷却するようにしている。
【０００３】
この場合、冷却ファンの回転に伴い発生する風切り音，および排気口から電気室の天井に向けて吹き出す冷却空気の排気，衝突音が騒音となって周囲の電気室内に伝播することから、この騒音レベルを低減するための騒音対策として、前記冷却ファンの周囲を取り囲んで内面に吸音材を貼り付けた消音器、および排気口から上方に吹き出る排気空気流を水平方向に偏向させる風向板を設けてその内面に吸音材を貼り付けた盤の防音構造がこの発明と同一出願人より先に提案されている（特許文献１参照）。
【先行技術文献】
【特許文献】
【０００４】
【特許文献１】特開２００５−２０９３３号公報
【発明の概要】
【発明が解決しようとする課題】
【０００５】
ところで、先記冷却ファンを騒音源として盤周囲の電気室内に伝播する騒音は、盤の天井部に開口した排気口部に発生する風切り音，排気音のほかに、冷却ファンの回転に伴う機械的な振動音，盤内に収納した各種機器から発生する振動音などが閉鎖形盤の周面に配した盤パネルを透過して電気室内に放射，伝播する透過騒音もある。
【０００６】
一方、配電盤などの設備機器については、“騒音規制法”およびその関連条令により設備機器から周囲に伝播する騒音レベルが許容騒音値以下となるような措置を講じることが義務付けられている。ここで、配電盤については電気室内で配電盤の前に立って作業する保守員などに与える騒音の人体的影響を低減するために、配電盤の正面前方に定めた受音点で騒音レベルを測定，確認し、この騒音レベルが関連法令で規定した許容値以下となるように規定しており、具体例として前記の受音点を配電盤の前方から約１ｍ離し、床面からの高さ約1.5ｍの地点に定めている。
【０００７】
上記の騒音規制問題を勘案して先記した特許文献１に開示されている防音構造を検討すると、盤の天井側に設けた排気口を通して電気室内に伝播する騒音のレベルは低減できるものの、このままでは盤パネルを透過して盤前方の電気室内に伝播する透過騒音レベルを十分に低減することができない。
【０００８】
この発明は上記の点に鑑みなされたものであり、その目的は閉鎖形盤キャビネットの排気口を通じて電気室内に伝播する冷却ファンの風切り音のほかに、盤キャビネットの盤パネルを透過して盤前方の電気室内に伝播する透過騒音のレベルを効果的に低減できるように防音構造を改良した電気機器収納盤を提供することにある。
【課題を解決するための手段】
【０００９】
上記目的を達成するために、この発明によれば、電気機器を収納した閉鎖形盤キャビネットの天井板に排気口を開口して冷却ファンを配備し、該冷却ファンにより盤内に冷却空気を通風して電気機器の冷却を行なうようにした風冷式の電気機器収納盤において、
前記閉鎖形盤キャビネットの上部には冷却ファンを取り囲んで内面に吸音材を貼り付けた消音器、および該消音器を通過した排気空気流を水平方向へ偏向させるよう内面に吸音材を貼り付けた風向ガイドを設けるとともに、さらに盤キャビネットの正面扉の裏面に吸音材を被着するものする（請求項１）。
【００１０】
また、前記構成においては、正面扉の裏面に被着した吸音材を、騒音規制法の関連法令で定めた受音点に対応する床面からの高さに位置を合わせてその周域範囲に被着するようにする（請求項２）。
【発明の効果】
【００１１】
上記構成のように、盤キャビネットの天井に開口した排気口には冷却ファンの消音器、および内面に吸音材を貼り付けた風向ガイドを設け、さらに加えて盤キャビネットの正面扉の裏面に吸音材を被着することにより盤キャビネットの正面扉を透過して電気室内に伝播する騒音レベルを効果的に減衰させることができ、これにより電気室内で配電盤の前に立って作業する保守員に対する騒音の人体的影響を低減して電気室の環境改善が図れる。
【００１２】
しかも、正面扉の裏面に被着する吸音材を、指定の受音点に対応する床面からの高さに合わせてその周囲域に被着したことにより、少ない量の吸音材を有効に使って保守員に与える騒音の人体的影響を効果的に低減できる。
【図面の簡単な説明】
【００１３】
【図１】この発明の実施例を示す電気機器収納盤の正面図である。
【図２】図１の一部切欠側面図である。
【発明を実施するための形態】
【００１４】
以下、この発明の実施の形態を図１，図２に示す実施例に基づいて説明する。
図１，図２において、１は閉鎖形配電盤構造になる電気機器収納盤の盤キャビネット、１ａは正面扉、１ｂは正面扉ａの下部板面に開口した冷却空気の吸気口、１ｃは盤キャビネット１の天井板に開口した冷却空気の排気口、２は前記排気口１ｃに設置した冷却ファン、３は冷却ファン２を包囲して天井板の上に配置した消音器、３ａは消音器３の内周面に貼り付けた吸音材、４は消音器３の上側に配備して排気空気を左右側方に偏向させる風子ガイド、４ａは風向ガイド４の内面側に貼り付けた吸音材、５は電気室の天井、６は電気室の床面であり、前記盤器の正面扉１ａの裏面には図示のように吸音材７が被着されている。
【００１５】
この吸音材７は、グラスウール，不織布などを素材とするシート状の吸音材を用い、配電盤などの機器設備に対する騒音規制法の関連法令で定めた受音点（機器設備の正面から前方に１ｍ離れ、床面からの高さ約1.5ｍ）に対応して、図２に表した受音点Ｐの床面からの高さＨに合わせてその上下，左右の周囲域をカバーする範囲に被着するようにしている。
【００１６】
上記構成により、冷却ファン２の風切り音，排気口１ｃから上方に吹き出す排気空気流の衝突音など騒音低減効果に加えて、盤キャビネット１の正面扉１ａに被着した吸音材７により、該正面扉１ａを透過して電気室内に伝播する透過騒音レベルを減衰させることができる。これにより電気室内で配電盤の前に立って作業する保守員に与える騒音の人体的影響を軽減して電気室内の環境改善が図れる。
【符号の説明】
【００１７】
１：電気機器収納盤の盤キャビネット
１ａ：正面扉
１ｂ：吸気口
１ｃ：排気口
２：冷却ファン
３：消音器
４：風向ガイド
７：吸音材
Ｐ：受音点
【図１】
2011066988.tif 000003
【図２】
2011066988.tif 000004